(57)【特許請求の範囲】
【請求項１】
上主筋と、下主筋と、それらの上主筋及び下主筋の外周に亘るスターラップ筋と、前記上主筋と前記下主筋に亘る中子筋とを有する梁鉄筋の組立方法であって、
前記スターラップ筋を除いて、前記上主筋、前記下主筋及び前記中子筋を先組した先組中央ユニットを複数備え、
前記先組中央ユニットは、梁長さ方向に伸びる前記上主筋と前記下主筋とを有し、両主筋に亘って連結された中子筋が梁長さ方向に並べて配設された連結構成を備え、その連結構成の前記上主筋及び前記下主筋が、梁断面方向に複数列並べて配設され、
前記先組中央ユニットは、梁断面方向に並ぶ複数の前記中子筋の上下方向の途中部が、梁断面方向に伸びる複数の補強筋にて連結され、
前記先組中央ユニットを梁断面方向に並べて複数配置し、それら複数の先組中央ユニットの外周に前記スターラップ筋を亘らせて組み付ける梁鉄筋の組立方法。
【請求項２】
梁断面方向に並ぶ前記先組中央ユニットにおいて、前記補強筋どうしを連結手段にて連結して組み付ける請求項１に記載の梁鉄筋の組立方法。
【請求項３】
前記補強筋を梁断面方向の外側に突出させる状態で、梁断面方向に複数の前記先組中央ユニットを並べて配置し、突出させた前記補強筋を前記スターラップ筋に接続する請求項２に記載の梁鉄筋の組立方法。
【発明の詳細な説明】
【技術分野】
【０００１】
本発明は、上主筋と、下主筋と、それらの上主筋及び下主筋の外周に亘るスターラップ筋と、前記上主筋と前記下主筋に亘る中子筋とを有する梁鉄筋の組立方法に関する。
【背景技術】
【０００２】
このような梁鉄筋の組立においては、梁鉄筋の一部を梁配設予定箇所以外の場所で予め先組しておいて、その後、梁配設予定箇所に配設することが多い。その場合、例えば、大規模なビルに使用される地中梁用の比較的大きな梁鉄筋では、梁配設予定箇所に梁鉄筋を配設する際、揚重機の一例であるクレーンで吊り上げて配設することになる。
ところが、クレーンには吊り上げ可能な重量が決められているため、従来の組立方法では、梁鉄筋の重量がクレーンの揚重可能重量内に収まるように梁鉄筋の長さを制限し、揚重可能重量内に制限した複数組の単位梁鉄筋を梁長さ方向に順次連結しながら組み付けていた。したがって、梁鉄筋が大きくなればなるほど、単位梁鉄筋の長さが短くなって多数組の単位梁鉄筋を連結する必要があった。
ちなみに、断面積の大きな梁鉄筋の組立方法として、上主筋、下主筋、中子筋及びスターラップ筋からなる単位梁鉄筋を梁断面方向に複数組並べて配置し、それによって、梁の断面積を大きくする方法が提案されている。この方法では、複数組並べた単位梁鉄筋の外周にスターラップ筋とは異なる枠筋を亘らせて組み付け、単位梁鉄筋どうしを接続することになる（例えば、特許文献１参照）。
【先行技術文献】
【特許文献】
【０００３】
【特許文献１】特開２００９−２１５７３１号公報（特に図１及び図２参照）
【発明の概要】
【発明が解決しようとする課題】
【０００４】
しかしながら、上記特許文献に記載の方法を含めて、従来の組立方法では、梁鉄筋の重量をクレーンの揚重可能重量内に収めるための手段として、上主筋、下主筋、中子筋及びスターラップ筋からなる単位梁鉄筋の長さに制限を設けて実行していたので、大きな梁鉄筋の場合、どうしても単位梁鉄筋の長さが短くなり、多数組の単位梁鉄筋を梁長さ方向に並べて連結する必要があった。
したがって、梁鉄筋が大きくなればなるほど、単位梁鉄筋間での主筋どうしの連結箇所が多くなり、梁鉄筋の組立に多くの労力と時間を必要として作業効率が悪くなるという問題があった。
【０００５】
本発明は、このような従来の問題点に着目したもので、その目的は、たとえ大きな梁鉄筋であっても、主筋どうしの連結箇所を極力少なくして、少ない労力と時間で組み付けることが可能な梁鉄筋の組立方法を提供することにある。
【課題を解決するための手段】
【０００６】
上主筋と、下主筋と、それらの上主筋及び下主筋の外周に亘るスターラップ筋と、前記上主筋と前記下主筋に亘る中子筋とを有する梁鉄筋の組立方法であって、
前記スターラップ筋を除いて、前記上主筋、前記下主筋及び前記中子筋を先組した先組中央ユニットを複数備え、前記先組中央ユニットを梁断面方向に並べて複数配置し、それら複数の先組中央ユニットの外周に前記スターラップ筋を亘らせて組み付けると好適である。
【０００７】
上記構成によれば、上主筋、下主筋、中子筋及びスターラップ筋を有する梁鉄筋において、スターラップ筋を除いて、上主筋、下主筋及び中子筋を先組した先組中央ユニットを複数備え、その複数の先組中央ユニットを梁断面方向に並べて配置するので、言い換えると、スターラップ筋を除いて、残りの上主筋、下主筋及び中子筋を梁断面方向に複数に分割して先組中央ユニットとするので、各先組中央ユニットの長さを長くしても、その重量を揚重機の揚重可能重量内に収めることが可能となる。
したがって、先組中央ユニット間での上主筋及び下主筋どうしの連結箇所は、長さが長くなった分だけ少なくなる。そして、最終的に、梁断面方向に並べた複数の先組中央ユニットの外周にスターラップ筋を亘らせて組み付けを完了するので、梁鉄筋組立作業の効率向上と省力化を図ることができる。
【０００８】
前記スターラップ筋を上側部位と下側部位とに分割し、梁長さ方向に並ぶ複数の上側部位を先組した先組上側ユニットと、梁長さ方向に並ぶ複数の下側部位を先組した先組下側ユニットとを備え、前記先組上側ユニットと前記先組下側ユニットとを前記複数の先組中央ユニットの外周に亘らせて組み付けると好適である。
【０００９】
上記構成によれば、先組中央ユニットの外周に亘らせて組み付けるスターラップ筋が、複数の上側部位を先組した先組上側ユニットと、複数の下側部位を先組した先組下側ユニットとに分割された構成となるため、梁断面方向に並べた複数の先組中央ユニット外周へのスターラップ筋の組付けを少ない労力で迅速に行うことができ、梁鉄筋組立作業の効率と省力化を更に向上させることができる。
【００１０】
梁配設予定箇所に、前記先組下側ユニットを配置し、その先組下側ユニット上で複数の前記先組中央ユニットを梁断面方向に並べて組み付け、それら複数の前記先組中央ユニット上に前記先組上側ユニットを組み付けると好適である。
【００１１】
上記構成によれば、梁配設予定箇所に対して、まず、スターラップ筋の先組下側ユニットを配置し、その上に複数の先組中央ユニットを梁断面方向に並べて組み付け、最後に、スターラップ筋の先組上側ユニットを組み付けるので、複数の先組中央ユニットとスターラップ筋などを施工性良く合理的に組み付けることができる。
本発明の第１特徴構成は、上主筋と、下主筋と、それらの上主筋及び下主筋の外周に亘るスターラップ筋と、前記上主筋と前記下主筋に亘る中子筋とを有する梁鉄筋の組立方法であって、
前記スターラップ筋を除いて、前記上主筋、前記下主筋及び前記中子筋を先組した先組中央ユニットを複数備え、
前記先組中央ユニットは、梁長さ方向に伸びる前記上主筋と前記下主筋とを有し、両主筋に亘って連結された中子筋が梁長さ方向に並べて配設された連結構成を備え、その連結構成の前記上主筋及び前記下主筋が、梁断面方向に複数列並べて配設され、
前記先組中央ユニットは、梁断面方向に並ぶ複数の前記中子筋の上下方向の途中部が、梁断面方向に伸びる複数の補強筋にて連結され、
前記先組中央ユニットを梁断面方向に並べて複数配置し、それら複数の先組中央ユニットの外周に前記スターラップ筋を亘らせて組み付ける点にある。
本発明の第２特徴構成は、梁断面方向に並ぶ前記先組中央ユニットにおいて、前記補強筋どうしを連結手段にて連結して組み付ける点にある。
本発明の第３特徴構成は、前記補強筋を梁断面方向の外側に突出させる状態で、梁断面方向に複数の前記先組中央ユニットを並べて配置し、突出させた前記補強筋を前記スターラップ筋に接続する点にある。
【図面の簡単な説明】
【００１２】
【図１】梁鉄筋の組立状態を示す正面図
【図２】梁鉄筋の構成を示す分解正面図
【図３】梁鉄筋の先組中央ユニットを示す斜視図
【図４】梁鉄筋の先組下側ユニットを示す斜視図
【図５】梁鉄筋の先組上側ユニットを示す斜視図
【発明を実施するための形態】
【００１３】
本発明による梁鉄筋の組立方法の実施形態を図面に基づいて説明する。
本発明に係る梁鉄筋の組立方法は、例えば、大規模なビルなどに使用される地中梁のような比較的大きな梁の鉄筋を対象とする。地中梁であれば、図１に示すように、地中梁用の梁鉄筋１が、梁配設予定箇所において、多数のスペーサＳの上に載置されて地中に設置される。この状態で、図示はしないが、コンクリート打設用の型枠で囲み、その型枠内にコンクリートを打設することにより梁鉄筋１を備えた地中梁を構築する。
この梁鉄筋１は、図２に分解して示すように、複数（図示の例では２組）の先組中央ユニット２、３と、その２組の先組中央ユニット２、３の外周に亘らせて組み付けるスターラップ筋４を備え、スターラップ筋４は、後に詳述するように、上側部位４ａを先組した先組上側ユニット５と、下側部位４ｂを先組した先組下側ユニット６に分割されて構成される。
【００１４】
次に、先組中央ユニット２、３の詳細について説明するが、２組の先組中央ユニット２、３は、図２から明らかなように基本的にほぼ同じ構成なので、図１及び図２で左側に位置する一方の先組中央ユニット２についてのみ説明する。
この先組中央ユニット２は、図３に示すように、梁長さ方向に沿って伸びる多数本の上主筋７と多数本の下主筋８を有し、これら上主筋７と下主筋８が、両主筋７、８に亘って結束や溶接などの鉄筋接続手段で接続された中子筋９により連結されている。具体的には、上主筋７と下主筋８が、上下方向に複数本ずつ（図示の例では２本ずつ）配設され、これら上下２本ずつの主筋７、８が、梁長さ方向に並ぶ多数本の中子筋９によって互いに連結された構成で、このような構成の上下の主筋７、８が、梁断面の横方向に複数列（図示の例では１０列）並べた状態に配設されている。
【００１５】
この１０列に配設された上下の主筋７、８において、主筋７、８を連結する多数本の中子筋９が、隣接する列の中子筋９と千鳥状になるように一列置きごとに梁長さ方向に位置をずらせて配設されている。すなわち、横方向に並ぶ複数列のうち、奇数列（図示の例では１、３、５、７、９の合計５列）に位置する中子筋９が、梁長さ方向においてほぼ同一箇所に配設され、偶数列（図示の例では２、４、６、８、１０の合計５列）に位置する中子筋９が、奇数列の中子筋９と千鳥状になるように位置をずらせた状態で、梁長さ方向においてほぼ同一箇所に配設されている。
奇数列の中子筋９のうち、梁断面の横方向に並ぶ中子筋９どうしが、横方向に伸びる複数本（図示の例では３本）の補強筋１０に鉄筋接続手段でそれぞれ接続されて連結され、
連結され、偶数列の中子筋９も、梁断面の横方向に並ぶ中子筋９どうしが、複数本（図示の例では３本）の補強筋１０に鉄筋接続手段でそれぞれ接続されて連結され、これら多数本の補強筋１０の一端部が、図２から明らかなように、横側方へ突出するように配設されている。
【００１６】
スターラップ筋４の先組下側ユニット６は、図４に示すように、上側部位４ａと下側部位４ｂに分割されたスターラップ筋４のうち、下側部位４ｂを先組したものである。すなわち、「コ」の字状に折曲された多数本の下側部位４ｂが、梁長さ方向にほぼ等間隔に並べられ、梁長さ方向に沿って伸びる１本の上補助主筋１１と２本の下補助主筋１２に鉄筋接続手段でそれぞれ接続されることにより連結されて構成されている。
スターラップ筋４の先組上側ユニット５は、図５に示すように、スターラップ筋４の上側部位４ａを先組したもので、多数本の上側部位４ａが、梁長さ方向にほぼ等間隔に並べられ、梁長さ方向に沿って伸びる１本の上補助主筋１１に鉄筋接続手段でそれぞれ接続されることにより連結されて構成され、各上側部位４ａの両端部は、先組下側ユニット６の上補助主筋１１に係合するように折曲されている。
【００１７】
次に、この梁鉄筋の組立方法について説明する。
図１を参照して、まず、梁配設予定箇所に、必要に応じてスペーサＳを適宜配置し、そのスペーサＳ上に先組下側ユニット６を上補助主筋１１が上方に位置するように、つまり、開口部が上方に位置するように「コ」の字状の先組下側ユニット６を載置する。
その上方の開口部から先組中央ユニット２、３を先組下側ユニット６内に順次搬入し、先組下側ユニット６を構成するスターラップ筋４の下側部位４ｂの上に複数の先組中央ユニット２、３を梁断面の横方向に並べて配置する。
すなわち、スターラップ筋４の下側部位４ｂを先組した先組下側ユニット６の上に、スターラップ筋４を除いて、上主筋７、下主筋８及び中子筋９を先組した複数の先組中央ユニット２、３を梁断面方向に並べて配置する。
【００１８】
図示の例では、横方向へ突出した補強筋１０が外側に位置するように、２組の先組中央ユニット２、３を梁断面方向に並べて配置し、突出した補強筋１０と下側部位４ｂあるいは下主筋８と下側部位４ｂなど、必要な箇所を鉄筋接続手段で接続し、先組中央ユニット２、３の補強筋１０どうしも、鉄筋や連結具などの連結手段１３で連結して組み付ける。
そして、先組上側ユニット５を構成するスターラップ筋４の上側部位４ａの両端部が先組下側ユニット６の上補助主筋１１に係合するように、複数の先組中央ユニット２、３の上に先組上側ユニット５を載置し、必要な箇所を鉄筋接続手段で接続して組み付ける。
すなわち、複数の先組中央ユニット２、３を梁断面方向に並べた状態で、それら複数の先組中央ユニット２、３の外周にスターラップ筋４の下側部位４ｂを構成する先組下側ユニット６とスターラップ筋４の上側部位４ａを構成する先組上側ユニット５を亘らせて組み付けて梁鉄筋の組立を完了する。
【００１９】
〔別実施形態〕
（１）前述の実施形態では、スターラップ筋４を上側部位４ａと下側部位４ｂとの２つに分割し、それぞれユニットに先組した例を示したが、例えば、スターラップ筋４を正面視で左側部位と右側部位との２つに分割し、それぞれユニットに先組して実施することも、また、３つ以上に分割したり、分割した部位の一部のみをユニットに先組して実施することもできる。
更には、スターラップ筋４を分割したり先組したりすることなく、梁断面方向に並べた複数の先組中央ユニット２、３の外周にスターラップ筋４を亘らせて組み付けることもできる。
【００２０】
（２）前述の実施形態では、２組の先組中央ユニット２、３を梁断面方向に並べた例を示したが、梁鉄筋の規模に応じて、３組以上の先組中央ユニットを梁断面方向に並べて実施することもできる。
また、その先組中央ユニット２、３に関し、上主筋７と下主筋８を２本ずつ設け、これら上下２本ずつの主筋７、８を梁断面の横方向に１０列並べた例を示したが、両主筋７、８の本数や列数については、梁鉄筋の規模や使用する揚重機の揚重可能重量などに基づいて適宜変更可能である。
【符号の説明】
【００２１】
１        梁鉄筋
２、３    先組中央ユニット
４        スターラップ筋
４ａ      スターラップ筋の上側部位
４ｂ      スターラップ筋の下側部位
５        先組上側ユニット
６        先組下側ユニット
７        上主筋
８        下主筋
９        中子筋
【図１】
0006690938.tif 000002
【図２】
0006690938.tif 000003
【図３】
0006690938.tif 000004
【図４】
0006690938.tif 000005
【図５】
0006690938.tif 000006